【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
ハウジングに回転可能に支持されたピニオンと、該ピニオンに噛合うラックを有しかつ前記ハウジングを貫通するラック軸と、前記ラック軸の前記ラックとは反対側の円弧状のラック軸支持面を摺動可能に支持するラックガイドとからなるラックアンドピニオン式ステアリング装置において、前記ラックガイドを弾性材料で構成するとともに、前記ラックガイドの円弧状凹面の曲率半径を前記ラック軸支持面の曲率半径より、小さい曲率半径で形成され、前記ラック軸支持面の中央部の弾性係数よりその中央部の周辺である側面部の弾性係数を小さくしたことを特徴とするラックアンドピニオン式ステアリング装置。
【手続補正２】
【補正対象書類名】明細書
【補正対象項目名】０００３
【補正方法】変更
【補正の内容】
【０００３】
このようなラックピニオン式のステアリング装置においては、操舵時にラック及びピニオンの噛合いに伴って噛合い歯面に直行する方向の力が作用し、しかもラック及びピニオンがはす歯に形成されているため、ラック軸の軸長方向に直行する方向の分力が発生し、この分力の作用により、ラック軸が軸回りに揺動する。
このようにラック軸が軸回りに揺動すると、ラックガイドとラック軸の接触面が変化し、さらに使用条件が過酷な場合、ラックガイドとラック軸の接触面に、片当たりが発生して摩耗が発生し、異音の発生が起こる場合がある。特許文献１にはラックガイドとラック軸の間にラックガイドシートを設け、このラックガイドシートの接触箇所を限定する摺接凸面を設けたものが提案されている。
また、特許文献２に開示の装置では、前記筒部にねじ込まれたねじ部材とラック軸との間に設けられたラックガイドがねじ部材に対して揺動可能に構成されている。この揺動可能な構成により、ラック軸が傾いてもラックガイドがラック軸の傾動に追随するため、ラックガイドがラック軸に片当たりすることが少なくなるようになっている。
【手続補正３】
【補正対象書類名】明細書
【補正対象項目名】０００５
【補正方法】変更
【補正の内容】
【０００５】
しかし、特許文献１は、摺接凸面を積極的に摩耗させるものであって、摺接凸面の摩耗を抑えるものではない。特許文献２は、ラック軸がラック軸方向に対してピニオン軸方向に所定量傾斜するようにラック軸が傾動する場合の対応であって、ラック軸が軸線回りに揺動した場合の対応ではない。
本発明の目的は、ラック軸が軸線回りに揺動した場合、ラックガイドの摩耗を低減し、異音を抑制するラックアンドピニオン式のステアリング装置を提供することである。
【手続補正４】
【補正対象書類名】明細書
【補正対象項目名】０００６
【補正方法】変更
【補正の内容】
【０００６】
上記課題を解決するために、請求項１に記載の発明は、ハウジングに回転可能に支持されたピニオンと、該ピニオンに噛合うラックを有しかつ前記ハウジングを貫通するラック軸と、前記ラック軸の前記ラックとは反対側の円弧状のラック軸支持面を摺動可能に支持するラックガイドとからなるラックアンドピニオン式ステアリング装置において、前記ラックガイドを弾性材料で構成するとともに、前記ラックガイドの円弧状凹面の曲率半径を前記ラック軸支持面の曲率半径より、小さい曲率半径で形成され、前記ラック軸支持面の中央部の弾性係数よりその中央部の周辺である側面部の弾性係数を小さくしたことを要旨としている。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明の構造によると、前記ラックガイドは、前記ラック軸支持面の中央部の弾性係数よりその中央部の周辺である側面部の弾性係数を小さくして、ラックガイドの側面部において中央部より大きなしめしろを与えているため、ラック軸の軸回りに揺動に追随して、接触面積の変化が小さく、接触荷重が均等となり、摩耗が平滑に進む為、総摩耗量は少なくなり、異音を抑制するラックアンドピニオン式ステアリング装置を提供できる。
【手続補正７】
【補正対象書類名】明細書
【補正対象項目名】００１０
【補正方法】変更
【補正の内容】
【００１０】
【図１】本発明の一実施形態に係るラックアンドピニオン式ステアリング装置に用いられるラック軸支持装置の構成を示す部分断面図である。
【図２】ラックガイドの拡大図である。
【手続補正８】
【補正対象書類名】明細書
【補正対象項目名】００１５
【補正方法】変更
【補正の内容】
【００１５】
ラックガイド１１は、ハウジング４内に組付けられてラック軸３をラック軸方向に移動可能に支持するためのものであり、ラック軸３のラック軸支持面の曲率半径Ｒより、小さい曲率半径の円弧状凹面で形成されており、ラック軸３の半径Ｒに対し弾性変形（変形による変位：しめしろＳ）する弾性部分を有する曲率半径ｒ（＝Ｒ−Ｓ）で形成されている。ラックガイド１１は、それぞれ外周が円形であって、ハウジング４の案内孔１３に収容されている。
【手続補正９】
【補正対象書類名】明細書
【補正対象項目名】００１６
【補正方法】変更
【補正の内容】
【００１６】
図２に本発明のラックガイド構造をしめしており、ラック軸支持面の中央部１１ｃの弾性係数が大きく側面部１１ｂ、１１ｄの弾性係数が小さく、ラックガイド１１の側面部１１ｂ、１１ｄのしめしろが中央部１１ｃのしめしろより大きく、ラック軸３とラックガイド１１の面圧分布が均等になるような構成になっている。そのためラック軸３が軸線回りに揺動したとき、ラック軸３とラックガイド１１の面圧分布が均等になるように、弾性係数が小さくかつしめしろが大きい側面部１１ｂ、１１ｄがラック軸に追従するようになっている。
【手続補正１０】
【補正対象書類名】明細書
【補正対象項目名】００１７
【補正方法】変更
【補正の内容】
【００１７】
上記のように構成したラック軸支持装置１０においては、運転者による操舵ハンドルの操舵入力に伴って操舵軸およびピニオン軸２が回転し、このピニオン軸２の回転に伴って、ラック軸３がラック軸方向に移動して、左右前輪が転舵する。
【手続補正１１】
【補正対象書類名】明細書
【補正対象項目名】００１８
【補正方法】変更
【補正の内容】
【００１８】
ところで、ピニオン軸２の回転時に、ハウジング４、ピニオン軸２、ラック軸３、ラックガイド１１等の各部品の精度に伴って、例え、ラック軸３が軸回りに揺動することがあっても、ラックガイド１１がラック軸３の動きに十分追従することが可能である。
【手続補正１２】
【補正対象書類名】明細書
【補正対象項目名】００１９
【補正方法】変更
【補正の内容】
【００１９】
このため、ピニオン軸２の回転時に、ラック軸３がラック軸方向以外の方向に不必要に移動（上記した各傾動および上記した各移動を伴ってラック軸方向に移動）することがあっても、ラックガイド１１のラック軸３に対する十分な追従によって、ラック軸３の背面３ｂとラックガイド１１のラック軸支持面１１ａの接触面の変化を小さくすることが可能である。したがって、上記した接触面の変化に伴う摩擦変動を抑制することができ、この摩擦変動に起因して生じるピニオン軸２のトルク変動（操舵トルクの変動）を抑制することが可能である。
【手続補正１３】
【補正対象書類名】明細書
【補正対象項目名】００２０
【補正方法】変更
【補正の内容】
【００２０】
ラックガイド１１は、しめしろＳ分だけハウジング内周面１３ａで接触して、内周軸方向に接触圧力が均等になるようになり、側面部１１ｂに近いほうで圧力が高くなっている。そのため、ピニオン軸２側からの力に対して抵抗が大きくなり、ラックガイド１１の挙動の抵抗となっている。逆向きの力に対しては比較的動きやすいため、ラック軸３の振動に対して、減衰させる効果があり、異音に対して抑制効果がある。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】図面
【補正対象項目名】図３
【補正方法】削除
【補正の内容】
【手続補正１７】
【補正対象書類名】図面
【補正対象項目名】図４
【補正方法】削除
【補正の内容】
【手続補正１８】
【補正対象書類名】図面
【補正対象項目名】図５
【補正方法】削除
【補正の内容】